(57)【要約】【課題】塔体の外部に設けられたステージの腐食を抑制することができる塔状構造物を提供すること。【解決手段】塔体と、塔体の外部に設けられたステージと、を備え、塔体及びステージを、耐候性を有する金属材料を用いて構成した塔状構造物であって、ステージの上面を水平に対して傾斜させる。【選択図】図２
2018091088.tif 000002
【特許請求の範囲】
【請求項１】
塔体と、
前記塔体の外部に設けられたステージと、
を備え、
前記塔体及び前記ステージを、耐候性を有する金属材料を用いて構成した塔状構造物であって、
前記ステージの上面を水平に対して傾斜させたことを特徴とする塔状構造物。
【請求項２】
請求項１に記載の塔状構造物において、
前記ステージの上面に該ステージの周方向に沿って柵が設けられている場合は、
前記ステージの外側であって前記柵の脚部の根元近傍に、風を集めるための集風板を設けることを特徴とする塔状構造物。
【請求項３】
請求項２に記載の塔状構造物において、
前記集風板は、断面略コの字形状であって、該断面略コの字形状における開放部が前記脚部の根元に向くように配置されていることを特徴とする塔状構造物。
【請求項４】
請求項１乃至３のいずれか１つに記載の塔状構造物において、
前記耐候性を有する金属材料が耐候性鋼材であることを特徴とする塔状構造物。
【請求項５】
請求項１乃至４のいずれか１つに記載の塔状構造物において、
前記塔体は、頂部に形成された放散口からガスを外部に放散する放散管であることを特徴とする塔状構造物。
【発明の詳細な説明】
【技術分野】
【０００１】
本発明は、塔状構造物に関する。
【背景技術】
【０００２】
従来、ガス設備の一部として、パイプラインの維持管理や、地震などの災害時の不測の事態に対処するために、パイプライン内のガスを大気中へ放散するための放散管を備えた放散塔が知られている（特許文献１など）。このような放散塔は、塔体である放散管の外部に設けられ、作業者がメンテナンスなどを行う際に足場として使用するステージを備えている。
【先行技術文献】
【特許文献】
【０００３】
【特許文献１】特開２００２−３７１７２８号公報
【発明の概要】
【発明が解決しようとする課題】
【０００４】
一般に、放散塔は、ペンキを塗るなどして水などに起因した腐食に対するメンテナンスを行う必要があるが、放散塔に耐候性鋼材を用いて耐候性を向上させることにより、ペンキを塗らなくても水などに起因した腐食を抑えることが可能となる。しかしながら、上述したように放散塔は、パイプラインの維持管理や、地震などの災害時の不測の事態に対処するためのものであるため、常時運転員のいないガスステーションに設置されることが多い。そのため、放散塔のステージ上に水が滞留したとしても、その滞留した水がステージ上からなかなか排除されず、耐候性鋼材であっても耐候性が十分に発揮されずに、水に起因したステージの腐食を招くといった問題が生じ得る。
【０００５】
なお、上記問題は、放散塔に限るものではなく、例えば、ガス設備の一部である無線塔などの塔状構造物であっても同様に生じ得る。
【０００６】
本発明は、上記課題に鑑みてなされたものであって、その目的は、塔体の外部に設けられたステージの腐食を抑制することができる塔状構造物を提供することである。
【課題を解決するための手段】
【０００７】
上述した課題を解決し、目的を達成するために、本発明に係る塔状構造物は、
（１）塔体と、前記塔体の外部に設けられたステージと、を備え、前記塔体及び前記ステージを、耐候性を有する金属材料を用いて構成した塔状構造物であって、前記ステージの上面を水平に対して傾斜させたことを特徴とする。
【０００８】
（２）また、上記（１）の塔状構造物において、前記ステージの上面に該ステージの周方向に沿って柵が設けられている場合は、前記ステージの外側であって前記柵の脚部の根元近傍に、風を集めるための集風板を設けることを特徴とする。
【０００９】
（３）また、上記（２）の塔状構造物において、前記集風板は、断面略コの字形状であって、該断面略コの字形状における開放部が前記脚部の根元に向くように配置されていることを特徴とする。
【００１０】
（４）また、上記（１）乃至（３）のいずれか１つに記載の塔状構造物において、前記耐候性を有する金属材料が耐候性鋼材であることを特徴とする。
【００１１】
（５）また、上記（１）乃至（４）のいずれか１つに記載の塔状構造物において、前記塔体は、頂部に形成された放散口からガスを外部に放散する放散管であることを特徴とする。
【発明の効果】
【００１２】
本発明に係る塔状構造物は、塔体の外部に設けられたステージの腐食を抑制することができるという優れた効果がある。
【図面の簡単な説明】
【００１３】
【図１】図１は、実施形態に係る放散塔の模式図である。
【図２】図２は、ステージの側面図である。
【図３】図３は、ステージの平面図である。
【図４】図４は、図３に示すステージのＡ−Ａ断面図である。
【図５】図５は、ステージ上面を水平にして設けた場合におけるステージの側面図である。
【図６】図６は、チェッカープレートとグレーチングとで構成したステージの平面図である。
【発明を実施するための形態】
【００１４】
以下に、本発明に係る塔状構造物である放散塔の一実施形態について説明する。なお、この実施形態により、本発明が限定されるものではない。
【００１５】
図１は、実施形態に係る放散塔１の模式図である。図１に示す放散塔１は、地面１００に設置された土台６上に立設する放散管４や、この放散管４の内部に設置されたサイレンサー（消音器）５や、放散管４の外部に設けられ作業者がメンテナンスなどの作業を行う際に足場などとして使用する複数のステージ７ａ，７ｂ，７ｃ，７ｄ（特に区別をしない場合には、単に「ステージ７」と称することもある。）や、放散管４の外部に設けられ各ステージ７間で作業者が行き来するための複数の昇降用ラダー８ａ，８ｂ，８ｃ（特に区別をしない場合には、単に「昇降用ラダー８」と称することもある。）などによって構成されている。また、この放散塔１の高さとしては、例えば１５［ｍ］〜６０［ｍ］程度である。なお、ステージ７ａ，７ｂ，７ｃ，７ｄのうち放散管４の軸線方向（上下方向）で一番上に位置するステージ７ｄには、避雷針３５が取り付けられている。
【００１６】
放散管４の頂部には、ガスを放散するための放散口４ａが形成されており、不図示のガス導入管からサイレンサー５を通過して消音されたガスが放散管４に導入されて、放散管４内を通って放散口４ａから放散可能となっている。上記ガス導入管には、不図示のバルブが設けられており、放散口４ａからガスの放散を行わない通常時には、上記バルブが閉じた状態で上記ガス導入管からサイレンサー５を介して放散管４にガスが導入されないようになっている。一方、放散口４ａからガスの放散を行うときには、上記バルブを開閉させる不図示のバルブ開閉装置を遠隔操作するなどして、上記バルブを開けることにより、上記ガス導入管からサイレンサー５を介して放散管４にガスが導入可能となっている。
【００１７】
また、放散管４の頂部には、放散口４ａを開閉するための不図示の開閉蓋が設けられており、放散口４ａからガスの放散を行わない通常時には、上記開閉蓋が閉じた状態で放散口４ａを閉塞することによって、雨などが放散口４ａから放散管４内に入るのを抑制することができる。
【００１８】
なお、本実施形態においては、放散管４として、耐候性を有する材料、例えば、耐候性鋼材（ＳＭＡ４００材など）を管状に成形した耐候性鋼管を用いており、放散管４の表面は無塗装である。また、各ステージ７や各昇降用ラダー８も、耐候性を有する材料、例えば耐候性鋼材（ＳＭＡ４００材など）を用いて構成しており、各ステージ７や各昇降用ラダー８の表面は無塗装である。耐候性鋼材を用いることで、材料表面に緻密な錆が発生するため、無塗装でも内部への腐食進行を抑えることができる。これにより、放散管４や各ステージ７や各昇降用ラダー８の耐候性を維持するために、放散管４や各ステージ７や各昇降用ラダー８の表面の塗装を塗り替えるメンテナンス作業を省くことができる。
【００１９】
図２はステージ７の側面図であり、図３はステージ７の平面図であり、図４は、図３に示すステージ７のＡ−Ａ断面図である。なお、図２及び図４において、仮想水平線Ｌを破線で示している。
【００２０】
ステージ７は、ステージ上面７１に滑り止めの突起が付されたチェッカープレートで構成されている。ステージ７には、自身の直下に位置する昇降用ラダー８と対応する位置に、その昇降用ラダー８への昇降口８０が形成されており、この昇降口８０を通って昇降用ラダー８とステージ７との間で作業者が行き来することができる。また、ステージ上面７１におけるステージ径方向外側縁部には、ステージ周方向にわたって柵９が設けられている。この柵９は、ステージ周方向にわたって設けられた手すり部９１と、ステージ周方向に所定間隔をあけて並んでステージ上面７１に立設され、上端部が手すり部９１と接続された複数の手すり脚部９２と、複数の手すり脚部９２の軸線方向中央部をステージ周方向にわたって繋いだフレーム９３などで構成されている。
【００２１】
図５は、ステージ上面７１を水平にして設けた場合におけるステージ７の側面図である。なお、図５中において仮想水平線Ｌを破線で示している。図５においては、ステージ上面７１が水平に設けられているため、降雨などによってステージ上面７１に水が留まりやすく、長期にわたってステージ上面７１に水が滞留し続けると、ステージ７に耐候性鋼材を使用したとしても、その耐候性を十分に発揮することができなくなり、雨水などに起因してステージ７が腐食してしまうおそれがある。
【００２２】
これに対し、実施形態に係る放散塔１においては、ステージ上面７１を水平に対して１／１００の勾配で傾斜させている。これにより、ステージ上面７１の勾配によってステージ上面７１から水が流れ落ち、ステージ上面７１に水が滞留するのを抑えられ、ステージ上面７１の早期の自然乾燥を促すことができる。よって、耐候性鋼材からなるステージ７の耐候性が維持され、雨水などに起因してステージ７が腐食するのを抑制することができる。
【００２３】
また、ステージ上面７１においては、ステージ上面７１を流れる水の流れが手すり脚部９２によって妨げられ、ステージ上面７１における手すり脚部９２の根元部分に水が滞留しやすい。そのため、本実施形態においては、ステージ径方向でステージ７の外側であって手すり脚部９２の根元近傍に、風を集めるための集風手段である集風板２０を、各手すり脚部９２に対応させて複数設けている。集風板２０は、上壁部２１と側壁部２２と下壁部２３との３つの壁部からなる断面略コの字形状であって、開放部２４が手すり脚部９２の根元部分に向くように、ステージ７の外周面７２に設けられたステー３０上に配置されている。
【００２４】
このように、ステージ径方向でステージ７の外側であって手すり脚部９２の根元近傍に集風板２０を設けることで、例えば、ステージ上面７１に沿ってステージ径方向内側から外側に向かって吹く風が、開放部２４から集風板２０内に吹き込まれると、その吹き込まれた風が側壁部２２に突き当たり少なくとも一部が、集風板２０の内壁面によってガイドされ、ステージ周方向に沿って少なくとも各集風板２０内を通るような風の流れが形成される。そして、ステージ周方向に沿って風の流れが形成されることにより、手すり脚部９２の根元部分近傍に風が呼び込まれ、ステージ上面７１における手すり脚部９２の根元部分の自然乾燥を促進させることができる。
【００２５】
なお、集風板２０として、例えば、断面略コの字形状のうち、開放部２４に加えて、上壁部２１と下壁部２３との少なくとも一方も開放しているものを用いた場合には、開放部２４から集風板２０内に吹き込み側壁部２２に突き当たった風の一部が、開放させた上壁部２１と下壁部２３との少なくとも一方から抜けてしまう。よって、その分、断面略コの字形状の集風板２０を用いた場合に比べて、ステージ周方向に沿って流れる風の量が減ってしまい、その結果、上述したような自然乾燥を促進させる効果が小さくなってしまう。そのため、集風板２０としては、上述したような断面略コの字形状のものを用いることが望ましい。
【００２６】
図６は、チェッカープレートとグレーチングとで構成したステージ７の平面図である。ステージ７としては、図３に示すような、ステージ径方向全域にわたってチェッカープレートを用いることに限定されるものでない。例えば、図６に示すように、手すり脚部９２が設けられるステージ径方向外側縁部には耐候性鋼材からなるチェッカープレート７３を用い、それよりもステージ径方向内側には耐候性鋼材からなるグレーチング７４を用いて、ステージ７を構成してもよい。
【００２７】
これにより、ステージ７がステージ径方向全域にわたってチェッカープレート７３で構成されている場合よりも、グレーチング７４に形成された複数の開口部から水が落ちるため、その分、ステージ上面７１で水が滞留し得る領域を低減させることができる。そして、チェッカープレート７３とグレーチング７４とで形成されるステージ上面７１を、水平に対して傾斜させて設けることで、グレーチング７４の開口部から水が落ちるため、ステージ上面７１の勾配によりグレーチング７４側からチェッカープレート７３側に流れてくる水の量を低減でき、チェッカープレート７３に設けられた手すり脚部９２の根元部分に水が滞留するのを、より効果的に抑制することができる。
【００２８】
なお、本実施形態においては、塔体の外部に設けられるステージとして、図３などに示すような環状のステージ７で説明したが、上記ステージとしては、これに限定されるものではなく、例えば、塔体の外部に設けられた螺旋階段などであってもよい。
【００２９】
また、本実施形態においては、塔体と、塔体の外部に設けられたステージと、を備え、塔体及びステージを、耐候性を有する金属材料を用いて構成した塔状構造物として、放散塔を例に挙げて説明したが、上記搭状構造物としては、これに限定されるものではなく、例えば、塔体である筒状構造物の上部に、アンテナが取り付けられた支持構造物が設けられた無線塔であってもよい。上記支持構造物には、一般に、作業員がメンテナンスを行う場合などに使用する足場であるステージや、そのステージ上に周方向にわたって柵が設けられているため、本発明を適用することによって、上述したのと同様の効果を得ることができる。
【符号の説明】
【００３０】
１      放散塔
４      放散管
４ａ    放散口
５      サイレンサー
６      土台
７ａ    ステージ
７ｂ    ステージ
７ｃ    ステージ
７ｄ    ステージ
８ａ    昇降用ラダー
８ｂ    昇降用ラダー
８ｃ    昇降用ラダー
９      柵
２０    集風板
２１    上壁部
２２    側壁部
２３    下壁部
２４    開放部
３０    ステー
７１    ステージ上面
７２    外周面
７３    チェッカープレート
７４    グレーチング
８０    昇降口
９１    手すり部
９２    手すり脚部
９３    フレーム
１００  地面
【図１】
2018091088.tif 000003
【図２】
2018091088.tif 000004
【図３】
2018091088.tif 000005
【図４】
2018091088.tif 000006
【図５】
2018091088.tif 000007
【図６】
2018091088.tif 000008